(57)【要約】  本発明の１実施形態では、電子装置を保護するための方法を開示する。当該電子装置は、電源の出力を制御するための制御スイッチを備え、当該方法は、例外イベントが発生したかどうかを検出し、例外イベントが発生したことが検出された場合には、当該制御スイッチを制御するための制御信号を生成するステップと、当該制御信号に基づいて、当該制御スイッチを制御して当該電源の出力チャネルを切断するステップと、を含む。それに対応して、本発明の１実施形態ではさらに電子装置を開示する。本発明の実施中に、例外が電子装置で発生した後に効果的な停止を実現することができ、例外イベントのために電子装置が停止した後に電子装置の異常なチップに継続して電力が供給されるという潜在的なセキュリティ・リスクが排除される。
2015505098.tif 000002
【特許請求の範囲】
【請求項１】
電子装置を保護するための方法であって、前記電子装置は電源の出力を制御するための制御スイッチを備え、
例外イベントが発生したかどうかを検出し、例外イベントが発生したことが検出された場合には、前記制御スイッチを制御するための制御信号を生成するステップと、
前記制御信号に基づいて、前記制御スイッチを制御して前記電源の出力チャネルを切断するステップと、
を含む、方法。
【請求項２】
前記電子装置が、前記電子装置が停止した後に前記電子装置の内部のチップに電力を供給し続けることができる主電源と前記電子装置が停止した後に前記電子装置の内部のチップに電力を供給し続けることができないバックアップ電源とを備える場合には、前記制御スイッチは前記主電源の出力を制御するための制御スイッチであり、
前記制御信号に基づいて前記制御スイッチを制御して前記電源の出力チャネルを切断するステップは、特に、前記制御信号に基づいて、前記制御スイッチを制御して前記主電源の出力チャネルを切断するステップを含む、
請求項１に記載の方法。
【請求項３】
前記制御信号に基づいて、前記制御スイッチを制御して前記主電源の出力チャネルを切断するステップの後に、さらに、停止プロセスを開始するステップを含む、請求項２に記載の方法。
【請求項４】
例外イベントが発生したことが検出された後、かつ、前記制御スイッチを制御するための制御信号を生成する前に、さらに、前記例外イベントの属性が事前設定のトリガ条件を満たすかどうかを判定し、判定結果が肯定的である場合には、前記電子装置により、前記制御スイッチを制御するための制御信号の生成をトリガするステップを含む、請求項１乃至３の何れか一項に記載の方法。
【請求項５】
異なる例外イベントに対して異なるトリガ条件を前もって設定するステップをさらに含み、
前記例外イベントの属性が事前設定のトリガ条件を満たすかどうかを判定するステップは特に、前記例外イベントの属性が前もって前記例外イベントに対して設定されたトリガ条件を満たすかどうかを判定するステップである、
請求項４に記載の方法。
【請求項６】
前記例外イベントの属性が事前設定のトリガ条件を満たすかどうかを判定するステップは特に、前記例外イベントの発生回数が発生回数の事前設定閾値より大きいかどうかを判定するステップである、請求項４に記載の方法。
【請求項７】
前記例外イベントは、チップ例外、不正な外部信号アクセス、または前記電源の例外のうち１つまたは複数を含む、請求項１乃至３の何れか一項に記載の方法。
【請求項８】
前記制御信号に基づいて前記制御スイッチを制御して前記電源の出力チャネルを切断した後に警告信号を生成するステップをさらに含む、請求項１乃至３の何れか一項に記載の方法。
【請求項９】
検出ユニット、生成ユニット、制御ユニット、および警告ユニットを備えた電子装置であって、
前記制御ユニットは電源の出力を制御するための制御スイッチを備え、
前記検出ユニットは、例外イベントが発生したかどうかを検出するように構成され、
前記生成ユニットは、例外イベントが発生したことを前記検出ユニットが検出したとき、前記制御スイッチを制御するための制御信号を生成するように構成され、
前記制御ユニットは、前記生成ユニットにより生成された前記制御信号に基づいて、前記制御スイッチを制御して前記電源の出力チャネルを切断するように構成された、
電子装置。
【請求項１０】
前記電子装置が、前記電子装置が停止した後に前記電子装置の内部のチップに電力を供給し続けることができる主電源と前記電子装置が停止した後に前記電子装置の内部のチップに電力を供給し続けることができないバックアップ電源とを備えるとき、前記制御スイッチは前記主電源の出力を制御するための制御スイッチであり、前記制御ユニットはさらに、前記生成ユニットにより生成された前記制御信号に基づいて、前記制御スイッチを制御して前記主電源の出力チャネルを切断するように構成された、請求項９に記載の電子装置。
【請求項１１】
前記制御ユニットが前記制御スイッチを制御して前記電源の前記出力チャネルを切断した後に停止プロセスを開始するように構成された停止ユニットをさらに備える、請求項１０に記載の電子装置。
【請求項１２】
例外イベントが発生したことを前記検出ユニットが検出したとき、前記例外イベントの属性が事前設定のトリガ条件を満たすかどうかを判定し、判定結果が肯定的である場合には、前記制御スイッチを制御するための制御信号を生成するように前記生成ユニットに指示するように構成された判定ユニットをさらに備える、請求項９乃至１１に記載の電子装置。
【請求項１３】
異なる例外イベントに対して異なるトリガ条件を前もって設定するように構成された事前設定ユニットをさらに備え、
前記判定ユニットはさらに、例外イベントが発生したことを前記検出ユニットが検出したとき、前記例外イベントの属性が前記例外イベントに対して前記事前設定ユニットにより事前に設定されたトリガ条件を満たすかどうかを判定し、判定結果が肯定的である場合には、前記制御スイッチを制御するための制御信号を生成するように前記生成ユニットに指示するように構成された、
請求項１２に記載の電子装置。
【請求項１４】
前記判定ユニットはさらに、例外イベントが発生したことを前記検出ユニットが検出したとき、前記例外イベントの発生回数が発生回数の事前設定閾値より大きいかどうかを判定し、判定結果が肯定的である場合には、前記制御スイッチを制御するための制御信号を生成するように前記生成ユニットに指示するように構成された、請求項１２に記載の電子装置。
【請求項１５】
前記例外イベントは、チップ例外、不正な外部信号アクセス、または前記電源の例外のうち１つまたは複数を含む、請求項９乃至１１の何れか１項に記載の電子装置。
【請求項１６】
前記制御ユニットが前記電源の前記出力チャネルを切断した後に警告信号を生成するように構成された警告ユニットをさらに備える、請求項９乃至１１に記載の電子装置。
【発明の詳細な説明】
【技術分野】
【０００１】
本願は、発明の名称を「電子装置を保護するための方法および電子装置」とした、２０１２年５月２５日に中国特許庁に出願された中国特許出願第２０１２１０１６５６９６．４号に対する優先権を主張し、その全体を引用により本明細書に取り込む。
本発明は電気学の分野に関し、特に、電子装置を保護するための方法および電子装置に関する。
【背景技術】
【０００２】
電子技術の発展とともに、例外イベントが発生した場合に電子装置を保護するための高度な要件が課されている。今日では、電子装置が装置例外を扱うための方法は以下の通りである。
【０００３】
例外イベントが発生したことを検出したとき、電子装置が停止プロセスを開始して、電力管理モジュール（Ｐｏｗｅｒ  Ｍａｎａｇｅｍｅｎｔ、ＰＭ）チップに電源を切るように指示する。
【発明の概要】
【発明が解決しようとする課題】
【０００４】
しかし、発明者らは、以上の技術において、例外イベントのために電子装置が停止しＰＭチップが電源を切る際、電子装置の電源（例えば、外部電源または記憶バッテリ）が、電源が入った状態に留まっていることを発見した。このように、ＰＭチップが電源を切った後に、電源が依然としてＰＭチップに電力を供給し続け、ＰＭチップがリセットされ、ＰＭチップが電子装置の別のチップに電力を供給して、電源装置が再開する。このように、例外が電源装置で発生した後、効果的な停止を実現できず、異常なチップに電源が供給され続ける。その結果、電子装置には潜在的なセキュリティ・リスクがある。
【課題を解決するための手段】
【０００５】
本発明の諸実施形態では、電子装置を保護するための方法および電子装置を提供する。これらは、例外が電子装置で発生した後に効果的な停止を実現することができる。その結果、例外イベントのために電子装置が停止した後に電子装置の異常なチップに継続して電力が供給されるという潜在的なセキュリティ・リスクが排除される。
【０００６】
上述の技術的課題を解決するために、本発明の１実施形態では電子装置を保護するための方法を提供する。当該電子装置は電源の出力を制御するための制御スイッチを備える。当該方法は、例外イベントが発生したかどうかを検出し、例外イベントが発生したことが検出された場合には、当該制御スイッチを制御するための制御信号を生成するステップと、当該制御信号に基づいて、当該制御スイッチを制御して当該電源の出力チャネルを切断するステップと、を含む。
【０００７】
それに対応して、本発明の１実施形態ではさらに電子装置を提供する。当該電子装置は、検出ユニット、生成ユニット、制御ユニット、および警告ユニットを備える。当該制御ユニットは電源の出力を制御するための制御スイッチを備える。当該検出ユニットは、例外イベントが発生したかどうかを検出するように構成される。当該生成ユニットは、例外イベントが発生したことを当該検出ユニットが検出したとき、当該制御スイッチを制御するための制御信号を生成するように構成される。当該制御ユニットは、当該生成ユニットにより生成された当該制御信号に基づいて、当該制御スイッチを制御して当該電源の出力チャネルを切断するように構成される。
【０００８】
本発明の諸実施形態では、電子装置は、例外イベントが発生したかどうかを検出し、例外イベントが発生したことが検出された場合には制御信号を生成する。当該制御信号は、電源の出力チャネルを切断するように制御スイッチに指示するものである。このように、例外が電子装置で発生した後に効果的な停止を実現することができる。その結果、例外イベントのために電子装置が停止した後に電子装置の異常なチップに継続して電力が供給されるという潜在的なセキュリティ・リスクが排除される。
【０００９】
本発明の諸実施形態または先行技術における技術的解決策をより明確に説明するために、以下では、当該諸実施形態または先行技術の説明に必要な添付図面を簡単に説明する。明らかに、以下の説明における添付図面は本発明の諸実施形態の一部を示すにすぎず、当業者は、創造的作業なしにこれらの添付図面から他の図面を導出することができる。
【図面の簡単な説明】
【００１０】
【図１】本発明の１実施形態に従う電子装置を保護するための方法の第１の実施形態の略流れ図である。
【図２】本発明の１実施形態に従う電子装置を保護するための方法の第２の実施形態の略流れ図である。
【図３】本発明の１実施形態に従う電子装置を保護するための方法の第３の実施形態の略流れ図である。
【図４】本発明の１実施形態に従う電子装置の第１の実施形態の略構造図である。
【図５】本発明の１実施形態に従う電子装置の第２の実施形態の略構造図である。
【図６】本発明の１実施形態に従う電子装置の第３の実施形態の略構造図である。
【図７】本発明の１実施形態に従う電子装置の第３の実施形態の別の実装方式の略構造図である。
【図８】本発明の１実施形態に従う電子装置の第３の実施形態の別の実装方式の略構造図である。
【発明を実施するための形態】
【００１１】
以下で、本発明の諸実施形態における添付図面を参照して本発明の諸実施形態における技術的解決策を明確に説明する。明らかに、説明される実施形態は本発明の諸実施形態の全部ではなく一部にすぎない。当業者が創造的作業なしに本発明の諸実施形態に基づいて取得する他の全ての実施形態は本発明の保護範囲に入るものとする。
【００１２】
図１は、本発明の１実施形態に従う電子装置を保護するための方法の第１の実施形態の略流れ図である。本発明の当該実施形態では、当該電子装置は電源の出力を制御するための制御スイッチを備える。図１に示すように、当該方法は以下を含む。
【００１３】
Ｓ１０１では、例外イベントが発生したかどうかを検出し、例外イベントが発生したことが検出された場合には、当該制御スイッチを制御するための制御信号を生成する。
【００１４】
例外イベントは、チップ例外、不正な外部信号アクセス、または当該電源の例外のうち１つまたは複数であってもよく、当該チップ例外は、チップの内部短絡、チップの温度例外、またはチップの異常電力障害のような例外イベントであってもよいことに留意されたい。確かなことは、本発明の当該実施形態では、例外イベントは上で列挙した例外イベントを含むがこれらに限られない。例外イベントが発生したかどうかを電子装置が検出するステップは特に、電子装置内部のチップにより、例外イベントが発生したかどうかを検出するステップであってもよく、または、電子装置内部の監視回路またはベースバンド・チップにより、もしくは、電源により、例外イベントが発生したかどうかを検出するステップであってもよい。ここで、例外イベントが発生したかどうかを電源により検出するステップは、電源で例外イベントが発生したかどうかを検出するステップ、または、不正な外部信号入力が存在するかどうかを検出するステップを含む。
【００１５】
Ｓ１０２では、当該制御信号に基づいて、当該電源の出力チャネルを切断するように制御スイッチを制御する。
【００１６】
電源の出力チャネルを切断した後、電子装置は自動的に停止し、電源はＰＭチップにも別のチップにも電源を供給することができない。しかし、電源装置が複数の電源を有するとき、例えば、電子装置が停止した後に電子装置内部のチップに電力を供給し続けることができる主電源と、電子装置が停止した後に電子装置内部のチップに電力を供給し続けることができないバックアップ電源とを有するときには、本実施形態では、電子装置に含まれる制御スイッチは主電源の出力を制御するための制御スイッチであり、ステップＳ１０２は特に、電子装置により、制御信号に基づいて、当該制御スイッチを制御して当該主電源の出力チャネルを切断するステップであってもよい。電子装置が主電源とバックアップ電源を有するので、主電源の出力チャネルが切断された後、電子装置はバックアップ電源により供給される電力で動作を継続することができる。このように、ステップＳ１０２の後に、当該方法はさらに、電子装置により停止プロセスを開始するステップを含んでもよい。
【００１７】
当該停止プロセスは主電源の出力チャネルが切断された後に開始する。このように、例外イベントが電子装置で発生した後に、効果的な停止を実施することができる。
【００１８】
電子装置が複数の主電源を備える場合には、当該電子装置は複数の制御スイッチを備え、各制御スイッチが１つの主電源の出力を制御する。このように、ステップＳ１０２は特に、電子装置により、当該制御信号に基づいて、当該複数の制御スイッチを制御して主電源の出力チャネルを切断するステップであってもよい。
【００１９】
本実施形態では、例外イベントが発生したかどうかが検出され、例外イベントが発生したことが検出された場合には、制御信号が生成される。当該制御信号に基づいて、電源の出力チャネルを切断するように制御スイッチを制御する。このように、例外が電子装置で発生した後に効果的な停止を実現することができ、その結果、例外イベントのために電子装置が停止した後に電子装置の異常なチップに継続して電力が供給されるという潜在的なセキュリティ・リスクが排除される。
【００２０】
図２は、本発明の１実施形態に従う電子装置を保護するための方法の第２の実施形態の略流れ図である。本実施形態では、電子装置の電源は、２つの電源供給チャネル、即ち、主電源供給チャネルと二次電源供給チャネルを備える。当該主電源供給チャネルは電子装置が動作するのに必要な電源を提供し、当該二次電源供給チャネルは二次回路が必要とする電源を提供する。当該電子装置はさらに、電源の主電源供給チャネルを制御するための制御スイッチを備える。図２に示すように、当該方法は以下を含む。
【００２１】
Ｓ２０１では、例外イベントが発生したかどうかを検出し、例外イベントが発生したことが検出された場合には、当該制御スイッチを制御するための制御信号を検出する。具体的には、上述のステップＳ１０１の説明を参照されたい。
【００２２】
Ｓ２０２では、当該制御信号に基づいて、制御スイッチを制御して電源の主電源供給チャネルを切断する。
【００２３】
電源の主電源供給チャネルが切断された後に、当該電子装置は自動的に停止する。さらに、当該電源はＰＭチップにも別のチップにも電力を供給することができない。具体的には、上述のステップＳ１０２の説明を参照されたい。
【００２４】
Ｓ２０３で警告信号を生成する。警告信号は特に、音声信号または光信号のような促進信号であってもよい。このように、ユーザは、警告信号を受信した後に発生した例外イベントを処理することができる。確かなことは、警告信号を生成してから発生した例外イベントをユーザにより処理するまでの期間において、当該制御スイッチが当該電源の出力チャネルを切断されたままにする。これにより、当該期間内に電子装置内部のチップに電源が入れられるのが防止され、潜在的なセキュリティ・リスクが排除される。
【００２５】
当該警告信号を生成するステップは二次回路により実装され、当該二次回路は当該電源の二次電源供給チャネルにより電力が供給されることに留意されたい。即ち、ステップＳ２０２で電源の主電源供給チャネルを切断した後に、当該電源の二次電源供給チャネルは当該二次回路に電力を供給し続け、当該二次回路が警告信号を生成する。
【００２６】
本実施形態では、上述の実施形態に基づいて、警告信号を生成するステップを追加する。このように、例外イベントが電子装置で発生したとき、かつ、電源の主電源供給チャネルが切断された後に、警告信号を生成して、当該例外イベントを適時処理するようにユーザに指示してもよい。
【００２７】
図３は、本発明の１実施形態に従う電子装置を保護するための方法の第３の実施形態の略流れ図である。本発明の当該実施形態では、当該電子装置は電源の出力を制御するための制御スイッチを備える。図３に示すように、当該方法は以下を含む。
【００２８】
Ｓ３０１では、例外イベントが発生したかどうかを検出する。例外イベントが発生したことが検出された場合には、当該例外イベントの属性が事前設定のトリガ条件を満たすかどうかを判定する。判定結果が肯定的である場合には、ステップＳ３０２を実施し、判定結果が否定的である場合には、例外イベントが発生したかどうかの検出を続ける。例外イベントが発生したことが検出された場合には、当該例外イベントの属性が事前設定されたトリガ条件を満たすかどうかを判定する。
【００２９】
ステップＳ３０１で、例外イベントが発生したことを電子装置が検出したときに、当該例外イベントの属性が事前設定のトリガ条件を満たすかどうかを判定するステップは特に、例外イベントが発生したことを電子装置が検出したときに、当該例外イベントの発生回数が発生回数の事前設定閾値より大きいかどうかを検出するステップであってもよいことに留意されたい。当該電子装置は、当該例外イベントの発生回数が発生回数の事前設定閾値より大きいときにのみ、制御スイッチを制御するための制御信号を生成する。さらに、様々な電子装置に対して、例外イベントの発生回数の様々な閾値を当該電子装置内部のチップの性能に従って設定してもよい。即ち、様々な電子装置が、制御スイッチを制御するための制御信号を生成するための様々なトリガ条件を有する。例えば、例外イベントの発生回数の大きな閾値を、高性能な電子装置内部のチップに対して設定する。このように、例外が電子装置で発生した後に効果的な停止を実現することができ、例外イベントのために電子装置が停止した後に電子装置の異常なチップに継続して電力が供給されるという潜在的なセキュリティ・リスクが排除され、電子装置の動作効率をさらに高めることができる。
【００３０】
別の具体的な実装方式では当該方法がさらに、電子装置により、異なる例外イベントに対して異なるトリガ条件を前もって設定するステップを含んでもよいことに留意されたい。当該例外イベントが、チップ例外、不正な外部信号アクセス、または当該電源の例外のうち１つまたは複数を含んでもよい。このように、様々なトリガ条件を例外イベントに対して前もって設定することができる。特に、様々なトリガ条件を電子装置に対する例外イベントまたは損害の重大度に従って設定してもよい。例えば、電子装置が、チップ例外イベントのトリガ条件は発生回数の閾値が３回であることであると前もって設定し、不正な外部信号アクセスのトリガ条件は発生回数の閾値が１回であることであると前もって設定する等である。これらについてはここでは完全に例示しない。このように、電子装置の動作効率を大幅に高めることができる。
【００３１】
Ｓ３０２では、当該電子装置が当該制御スイッチを制御するための制御信号を生成する。Ｓ３０３では、当該電子装置が、当該制御信号に基づいて、当該電源の出力チャネルを切断するように制御スイッチを制御する。具体的には、上述のステップＳ１０２の説明を参照されたい。Ｓ３０４では、当該電子装置が警告信号を生成する。具体的には、上述のステップＳ２０３の説明を参照されたい。本実施形態では、上述の実施形態に基づいて、例外イベントの属性が事前設定されたトリガ条件を満たすかどうかを判定するステップを追加する。当該例外イベントが事前設定されたトリガ条件を満たすときにのみ、制御信号が生成され、電源の出力チャネルが切断され、警告信号が生成される。このように、例外が電子装置で発生した後に効果的な停止を実現することができ、その結果、例外イベントのために電子装置が停止した後に電子装置の異常なチップに継続して電力が供給されるという潜在的なセキュリティ・リスクが排除され、電子装置の動作効率がさらに高まる。
【００３２】
図４は、本発明の１実施形態に従う電子装置の略構造図である。図４に示すように、当該電子装置は、検出ユニット４１、生成ユニット４２、および制御ユニット４３を備える。制御ユニット４３は、電源の出力を制御するための制御スイッチを備える。検出ユニット４１は、例外イベントが発生したかどうかを検出するように構成される。
【００３３】
例外イベントは、チップ例外、不正な外部信号アクセス、または当該電源の例外のうち１つまたは複数であってもよく、当該チップ例外は、チップの内部短絡、チップの温度例外、またはチップの異常電力障害のような例外イベントであってもよいことに留意されたい。確かなことは、本発明の当該実施形態では、例外イベントは上で列挙した例外イベントを含むがこれらに限られない。
【００３４】
生成ユニット４２は、例外イベントが発生したことを検出ユニット４１が検出したときに、制御スイッチを制御するための制御信号を生成するように構成される。
【００３５】
具体的な実装方式では、当該制御スイッチは特に電界効果トランジスタであってもよいことに留意されたい。当該電界効果トランジスタは電源とＰＭチップの間で接続されている。当該電子装置に電源を入れた後に、生成ユニット４２が電界効果トランジスタの接続を制御するための或る信号を生成する。その結果、電源がＰＭチップに電力を供給し、電子装置が動作状態に入る。検出ユニット４１が例外イベントを検出すると、生成ユニット４２が電界効果トランジスタの切断を制御するための或る制御信号を生成する。それにより、電源がＰＭチップへ電力を供給するためのチャネルを切断し、ＰＭチップへの電力供給を停止し、電子装置が停止する。
【００３６】
制御ユニット４３は、生成ユニット４２により生成された制御信号に基づいて、制御スイッチ４２を制御して電源の出力チャネルを切断するように構成される。
【００３７】
制御ユニット３３が当該制御スイッチを制御して電源の当該出力チャネルを切断した後、電子装置は自動的に停止し、さらに、電源はＰＭチップにも別のチップにも電力を供給できないことに留意されたい。しかし、当該電子装置が複数の電源を有するとき、例えば、当該電子装置が停止した後に当該電子装置内部のチップに電力を供給し続けることができる主電源と当該電子装置が停止した後に当該電子装置内部のチップに電力を供給し続けることができないバックアップ電源を備えるときには、本実施形態では、制御ユニット３３内の制御スイッチは当該主電源の出力を制御するための制御スイッチであり、制御ユニット３３はさらに、当該生成ユニットにより生成された制御信号に基づいて、当該制御スイッチを制御して当該主電源の出力チャネルを切断するように構成される。
【００３８】
電子装置は主電源とバックアップ電源を有するので、主電源の出力チャネルが切断された後、当該電子装置はバックアップ電源により供給される電力で動作を継続することができる。このように、当該電子装置はさらに、制御ユニット３３が制御スイッチを制御して当該電源の出力チャネルを切断した後に停止プロセスを開始するように構成された停止ユニットを備えてもよい。
【００３９】
当該停止プロセスは、主電源の出力チャネルが切断された後に開始される。このように、効果的な停止を例外イベントが電子装置で発生した後に実施することができる。確かなことは、バックアップ電源に格納された電気量のような原因のために、電子装置がスイッチを開始した後、バックアップ電源がＰＭチップにも別のチップにも電力を供給することができない。
【００４０】
本実施形態では、検出ユニットは例外イベントが発生したかどうかを検出し、例外イベントが発生したことを当該検出ユニットが検出したとき、生成ユニットが制御信号を生成する。制御ユニットは、当該生成ユニットにより生成された制御信号に基づいて、制御スイッチを制御して電源の出力チャネルを切断する。このように、例外が電子装置で発生した後に効果的な停止を実現することができ、その結果、例外イベントのために電子装置が停止した後に電子装置の異常なチップに継続して電力が供給されるという潜在的なセキュリティ・リスクが排除される。
【００４１】
図５は、本発明の１実施形態に従う電子装置の第２の実施形態の略構造図である。本実施形態では、電子装置の電源は２つの電源供給チャネル、即ち、主電源供給チャネルと二次電源供給チャネルを備える。当該主電源供給チャネルは電子装置が動作するのに必要な電源を提供し、当該二次電源供給チャネルは警告ユニットが必要な電源を提供する。図５に示すように、当該電子装置は、検出ユニット５１、生成ユニット５２、制御ユニット５３、および警告ユニット５４を備える。制御ユニット５３は、電源の出力を制御するための制御スイッチを備える。
【００４２】
検出ユニット５１は、例外イベントが発生したかどうかを検出するように構成される。具体的には、上述の検出ユニット４１の説明を参照されたい。生成ユニット５２は、例外イベントが発生したことを検出ユニット５１が検出したときに、当該制御スイッチを制御するための制御信号を生成するように構成される。具体的には、上述の生成ユニット４２の説明を参照されたい。制御ユニット５３は、生成ユニット５２により生成された当該制御信号に基づいて、当該制御スイッチを制御して電源の主電源供給チャネルを切断するように構成される。具体的には、上述の制御ユニット４３の説明を参照されたい。警告ユニット５４は、制御ユニット５３が当該電源の出力チャネルを切断した後に警告信号を生成するように構成される。
【００４３】
警告信号は特に、音声信号または光信号のような促進信号であってもよい。このように、ユーザは警告信号を受信した後に発生した例外イベントを適時に処理することができる。確かなことは、警告信号を受信してから発生した例外イベントをユーザにより処理するまでの期間において、当該制御スイッチが当該電源の出力チャネルを切断されたままにする。これにより、当該期間内に電子装置内部のチップに電源が入れられるのを防ぎ、潜在的なセキュリティ・リスクを排除する。
【００４４】
警告ユニット５４は、当該電源の二次電源供給チャネルにより電源が入れられることに留意されたい。即ち、制御ユニット５３が電源の主電源供給チャネルを切断した後、当該電源の二次電源供給チャネルは電力を警告ユニット５４に供給し続け、警告ユニット５４が警告信号を生成する。
【００４５】
本実施形態では上述の実施形態に基づいて警告ユニットを追加する。このように、例外イベントが電子装置で発生したとき、かつ、電源の主電源供給チャネルが切断された後に、警告信号を生成して当該例外イベントを適時処理するようにユーザに指示してもよい。
【００４６】
図６は、本発明の１実施形態に従う電子装置の第３の実施形態の略構造図である。図６に示すように、当該電子装置は、検出ユニット６１、判定ユニット６２、生成ユニット６３、および制御ユニット６４を備える。制御ユニット６３は、電源の出力を制御するための制御スイッチを備える。
【００４７】
検出ユニット６１は、例外イベントが発生したかどうかを検出するように構成される。具体的には、上述の検出ユニット４１の説明を参照されたい。
【００４８】
判定ユニット６２は、例外イベントが発生したことを検出ユニット６１が検出したときに、当該例外イベントの属性が事前設定のトリガ条件を満たすかどうかを判定し、判定結果が肯定的である場合には、当該制御スイッチを制御するための制御信号を生成するように生成ユニット３２に指示するように構成される。このように、生成ユニット３２は、事前設定されたトリガ条件を満たす例外イベントが発生したときにのみ、当該制御スイッチを制御するための制御信号を生成する。その結果、電子装置は発生した例外イベントに対して保護動作を実施し、電子装置の動作効率を高めることができる。
【００４９】
特に、判定ユニット６２はさらに、例外イベントが発生したことを検出ユニット６１が検出したときに、当該例外イベントの発生回数が発生回数の事前設定閾値より大きいかどうかを判定し、判定結果が肯定的である場合には、当該制御スイッチを制御するための制御信号を生成するように生成ユニット６３に指示するように構成される。
【００５０】
当該電子装置は、当該例外イベントの発生回数が発生回数の事前設定閾値より大きいときにのみ、当該制御スイッチを制御するための制御信号を生成する。このように、例外が電子装置で発生した後に効果的な停止を実現することができる。その結果、例外イベントのために電子装置が停止した後に電子装置の異常なチップに継続して電力が供給されるという潜在的なセキュリティ・リスクが排除され、電子装置の動作効率をさらに高めることができる。
【００５１】
生成ユニット６３は、例外イベントの属性が事前設定されたトリガ条件を満たすと判定ユニット６２が判定したときに、制御スイッチを制御するための制御信号を生成するように構成される。具体的には、上述の生成ユニット４２の説明を参照されたい。
【００５２】
制御ユニット６４は、生成ユニット６３により生成された制御信号に基づいて、制御スイッチを制御して電源の主電源供給チャネルを切断するように構成される。具体的には、上述の制御ユニット４３の説明を参照されたい。
【００５３】
図７に示すように、別の実装方式では、当該電子装置はさらに、異なる例外イベントに対して異なるトリガ条件を前もって設定するように構成された事前設定ユニット６５を備えてもよいことに留意されたい。
【００５４】
判定ユニット６２はさらに、例外イベントが発生したことを検出ユニット６１が検出したときに、例外イベントに対して事前設定ユニット６５により前もって設定されたトリガ条件を当該例外イベントの属性が満たすかどうかを判定し、判定結果が肯定的である場合には、当該制御スイッチを制御するための制御信号を生成するように当該生成ユニットに指示するように構成される。
【００５５】
特に、事前設定ユニット６５は、電子装置に対する例外イベントまたは損害の重大度に従って様々なトリガ条件を設定してもよい。例えば、事前設定ユニット６５は、チップ例外イベントのトリガ条件は発生回数の閾値が３回であることであると前もって設定し、不正な外部信号アクセスのトリガ条件は発生回数の閾値が１回であることであると前もって設定する等である。これらについてはここでは完全には例示しない。このように、電子装置の動作効率を大幅に高めることができる。
【００５６】
図８に示すように、別の実装方式では、当該電子装置はさらに、制御ユニット６３が当該電源の出力チャネルを切断した後に警告信号を生成するように構成された警告ユニット６６を備えてもよいことに留意されたい。具体的には、上述の制御ユニット５４の説明を参照されたい。
【００５７】
本実施形態では上述の実施形態に基づいて判定ユニットを追加する。例外イベントが事前設定されたトリガ条件を満たすときにのみ、制御信号が生成され、電源の出力チャネルが切断される。このように、例外が電子装置で発生した後に効果的な停止を実現することができ、その結果、例外イベントのために電子装置が停止した後に電子装置の異常なチップに継続して電力が供給されるという潜在的なセキュリティ・リスクが排除され、電子装置の動作効率をさらに高めることができる。
【００５８】
以上の説明は本発明の例示的な諸実施形態にすぎず、本発明の特許請求の範囲を限定しようとするものではない。したがって、本発明の諸請求項に従って行った均等な変更は本発明の範囲内にある。
【符号の説明】
【００５９】
４１  検出ユニット
４２  生成ユニット
４３  制御ユニット
５１  検出ユニット
５２  生成ユニット
５３  制御ユニット
５４  警告ユニット
６１  検出ユニット
６２  決定ユニット
６３  生成ユニット
６４  制御ユニット
６５  事前設定ユニット
６６  警告ユニット
【図１】
2015505098.tif 000003
【図２】
2015505098.tif 000004
【図３】
2015505098.tif 000005
【図４】
2015505098.tif 000006
【図５】
2015505098.tif 000007
【図６】
2015505098.tif 000008
【図７】
2015505098.tif 000009
【図８】
2015505098.tif 000010
【手続補正書】
【提出日】平成26年6月24日(2014.6.24)
【手続補正１】
【補正対象書類名】明細書
【補正対象項目名】０００１
【補正方法】変更
【補正の内容】
【０００１】
本発明は電気学の分野に関し、特に、電子装置を保護するための方法および電子装置に関する。
【手続補正２】
【補正対象書類名】明細書
【補正対象項目名】０００３
【補正方法】変更
【補正の内容】
【０００３】
例外イベントが発生したことを検出したとき、電子装置が停止プロセスを開始して、電力管理（Ｐｏｗｅｒ  Ｍａｎａｇｅｍｅｎｔ、ＰＭ）チップに電源を切るように指示する。
【手続補正３】
【補正対象書類名】明細書
【補正対象項目名】０００７
【補正方法】変更
【補正の内容】
【０００７】
それに対応して、本発明の１実施形態ではさらに電子装置を提供する。当該電子装置は、検出ユニット、生成ユニット、および制御ユニットを備える。当該制御ユニットは電源の出力を制御するための制御スイッチを備える。当該検出ユニットは、例外イベントが発生したかどうかを検出するように構成される。当該生成ユニットは、例外イベントが発生したことを当該検出ユニットが検出したとき、当該制御スイッチを制御するための制御信号を生成するように構成される。当該制御ユニットは、当該生成ユニットにより生成された当該制御信号に基づいて、当該制御スイッチを制御して当該電源の出力チャネルを切断するように構成される。
【手続補正４】
【補正対象書類名】明細書
【補正対象項目名】００１４
【補正方法】変更
【補正の内容】
【００１４】
例外イベントは、チップ例外、不正な外部信号入力、または当該電源の例外のうち１つまたは複数であってもよく、当該チップ例外は、チップの内部短絡、チップの温度例外、またはチップの異常電力障害のような例外イベントであってもよいことに留意されたい。確かなことは、本発明の当該実施形態では、例外イベントは上で列挙した例外イベントを含むがこれらに限られない。例外イベントが発生したかどうかを電子装置が検出するステップは特に、電子装置内部のチップにより、例外イベントが発生したかどうかを検出するステップであってもよく、または、電子装置内部の監視回路またはベースバンド・チップにより、もしくは、電源により、例外イベントが発生したかどうかを検出するステップであってもよい。ここで、例外イベントが発生したかどうかを電源により検出するステップは、電源で例外イベントが発生したかどうかを検出するステップ、または、不正な外部信号入力が存在するかどうかを検出するステップを含む。
【手続補正５】
【補正対象書類名】明細書
【補正対象項目名】００３７
【補正方法】変更
【補正の内容】
【００３７】
制御ユニット４３が当該制御スイッチを制御して電源の当該出力チャネルを切断した後、電子装置は自動的に停止し、さらに、電源はＰＭチップにも別のチップにも電力を供給できないことに留意されたい。しかし、当該電子装置が複数の電源を有するとき、例えば、当該電子装置が停止した後に当該電子装置内部のチップに電力を供給し続けることができる主電源と当該電子装置が停止した後に当該電子装置内部のチップに電力を供給し続けることができないバックアップ電源を備えるときには、本実施形態では、制御ユニット４３内の制御スイッチは当該主電源の出力を制御するための制御スイッチであり、制御ユニット４３はさらに、当該生成ユニットにより生成された制御信号に基づいて、当該制御スイッチを制御して当該主電源の出力チャネルを切断するように構成される。
【手続補正６】
【補正対象書類名】明細書
【補正対象項目名】００３８
【補正方法】変更
【補正の内容】
【００３８】
電子装置は主電源とバックアップ電源を有するので、主電源の出力チャネルが切断された後、当該電子装置はバックアップ電源により供給される電力で動作を継続することができる。このように、当該電子装置はさらに、制御ユニット４３が制御スイッチを制御して当該電源の出力チャネルを切断した後に停止プロセスを開始するように構成された停止ユニットを備えてもよい。
【手続補正７】
【補正対象書類名】明細書
【補正対象項目名】００４８
【補正方法】変更
【補正の内容】
【００４８】
判定ユニット６２は、例外イベントが発生したことを検出ユニット６１が検出したときに、当該例外イベントの属性が事前設定のトリガ条件を満たすかどうかを判定し、判定結果が肯定的である場合には、当該制御スイッチを制御するための制御信号を生成するように生成ユニット６３に指示するように構成される。このように、生成ユニット６３は、事前設定されたトリガ条件を満たす例外イベントが発生したときにのみ、当該制御スイッチを制御するための制御信号を生成する。その結果、電子装置は発生した例外イベントに対して保護動作を実施し、電子装置の動作効率を高めることができる。
【手続補正８】
【補正対象書類名】特許請求の範囲
【補正対象項目名】全文
【補正方法】変更
【補正の内容】
【特許請求の範囲】
【請求項１】
電子装置を保護するための方法であって、前記電子装置は電源の出力を制御するための制御スイッチを備え、
例外イベントが発生したかどうかを検出し、例外イベントが発生したことが検出された場合には、前記制御スイッチを制御するための制御信号を生成するステップと、
前記制御信号に基づいて、前記制御スイッチを制御して前記電源の出力チャネルを切断するステップと、
を含む、方法。
【請求項２】
前記電子装置が、前記電子装置が停止した後に前記電子装置の内部のチップに電力を供給し続ける主電源と前記電子装置が停止した後に前記電子装置の内部のチップに電力を供給し続けることができないバックアップ電源とを、前記主電源の出力を制御するための制御スイッチである前記制御スイッチに基づいて備え、
前記制御信号に基づいて前記制御スイッチを制御して前記電源の出力チャネルを切断するステップは、特に、前記制御信号に基づいて、前記制御スイッチを制御して前記主電源の出力チャネルを切断するステップを含む、
請求項１に記載の方法。
【請求項３】
前記制御信号に基づいて、前記制御スイッチを制御して前記主電源の出力チャネルを切断するステップの後に、さらに、停止プロセスを開始するステップを含む、請求項２に記載の方法。
【請求項４】
例外イベントが発生したことが検出された後、かつ、前記制御スイッチを制御するための制御信号を生成する前に、さらに、前記例外イベントの属性が事前設定のトリガ条件を満たすかどうかを判定し、判定結果が肯定的である場合には、前記電子装置により、前記制御スイッチを制御するための制御信号の生成をトリガするステップを含む、請求項１乃至３の何れか一項に記載の方法。
【請求項５】
異なる例外イベントに対して異なるトリガ条件を前もって設定するステップをさらに含み、
前記例外イベントの属性が事前設定のトリガ条件を満たすかどうかを判定するステップは特に、前記例外イベントの属性が前もって前記例外イベントに対して設定されたトリガ条件を満たすかどうかを判定するステップである、
請求項４に記載の方法。
【請求項６】
前記例外イベントの属性が事前設定のトリガ条件を満たすかどうかを判定するステップは特に、前記例外イベントの発生回数が発生回数の事前設定閾値より大きいかどうかを判定するステップである、請求項４に記載の方法。
【請求項７】
前記例外イベントは、チップ例外、不正な外部信号アクセス、または前記電源の例外のうち１つまたは複数を含む、請求項１乃至３の何れか一項に記載の方法。
【請求項８】
前記制御信号に基づいて前記制御スイッチを制御して前記電源の出力チャネルを切断した後に警告信号を生成するステップをさらに含む、請求項１乃至３の何れか一項に記載の方法。
【請求項９】
検出ユニット、生成ユニット、および制御ユニットを備えた電子装置であって、
前記制御ユニットは電源の出力を制御するための制御スイッチを備え、
前記検出ユニットは、例外イベントが発生したかどうかを検出するように構成され、
前記生成ユニットは、例外イベントが発生したことを前記検出ユニットが検出したとき、前記制御スイッチを制御するための制御信号を生成するように構成され、
前記制御ユニットは、前記生成ユニットにより生成された前記制御信号に基づいて、前記制御スイッチを制御して前記電源の出力チャネルを切断するように構成された、
電子装置。
【請求項１０】
前記電子装置が、前記電子装置が停止した後に前記電子装置の内部のチップに電力を供給し続けることができる主電源と前記電子装置が停止した後に前記電子装置の内部のチップに電力を供給し続けることができないバックアップ電源とを備えるとき、前記制御スイッチは前記主電源の出力を制御するための制御スイッチであり、前記制御ユニットはさらに、前記生成ユニットにより生成された前記制御信号に基づいて、前記制御スイッチを制御して前記主電源の出力チャネルを切断するように構成された、請求項９に記載の電子装置。
【請求項１１】
前記制御ユニットが前記制御スイッチを制御して前記電源の前記出力チャネルを切断した後に停止プロセスを開始するように構成された停止ユニットをさらに備える、請求項１０に記載の電子装置。
【請求項１２】
例外イベントが発生したことを前記検出ユニットが検出したとき、前記例外イベントの属性が事前設定のトリガ条件を満たすかどうかを判定し、判定結果が肯定的である場合には、前記制御スイッチを制御するための制御信号を生成するように前記生成ユニットに指示するように構成された判定ユニットをさらに備える、請求項９乃至１１の何れか一項に記載の電子装置。
【請求項１３】
異なる例外イベントに対して異なるトリガ条件を前もって設定するように構成された事前設定ユニットをさらに備え、
前記判定ユニットはさらに、例外イベントが発生したことを前記検出ユニットが検出したとき、前記例外イベントの属性が前記例外イベントに対して前記事前設定ユニットにより事前に設定されたトリガ条件を満たすかどうかを判定し、判定結果が肯定的である場合には、前記制御スイッチを制御するための制御信号を生成するように前記生成ユニットに指示するように構成された、
請求項１２に記載の電子装置。
【請求項１４】
前記判定ユニットはさらに、例外イベントが発生したことを前記検出ユニットが検出したとき、前記例外イベントの発生回数が発生回数の事前設定閾値より大きいかどうかを判定し、判定結果が肯定的である場合には、前記制御スイッチを制御するための制御信号を生成するように前記生成ユニットに指示するように構成された、請求項１２に記載の電子装置。
【請求項１５】
前記例外イベントは、チップ例外、不正な外部信号アクセス、または前記電源の例外のうち１つまたは複数を含む、請求項９乃至１１の何れか１項に記載の電子装置。
【請求項１６】
前記制御ユニットが前記電源の前記出力チャネルを切断した後に警告信号を生成するように構成された警告ユニットをさらに備える、請求項９乃至１１の何れか一項に記載の電子装置。
【手続補正９】
【補正対象書類名】図面
【補正対象項目名】図２
【補正方法】変更
【補正の内容】
【図２】
2015505098.tif 000011
【国際調査報告】
2015505098.tif 000012
2015505098.tif 000013
2015505098.tif 000014
2015505098.tif 000015